(57)【要約】【課題】部品点数を増加させることなくカードを装着状態に保持可能なカード用コネクタ装置の提供。【解決手段】カード１に形成された凹部１ｆ，１ｇに係合可能な弾性部材１１を備え、この弾性部材１１の凸部１１ｃがカード１の凹部１ｆ，１ｇに係合することにより、カード１を装着状態に保持可能であると共に、弾性部材１１は、金属製のカバー部材１０の一部を折り曲げて形成してある。この弾性部材１１は、片持ち梁状に形成してあり、カード１の凹部１ｆ，１ｇのそれぞれに、このカード１の側方から係合するように、左右両側部の対称位置に設けてある。【選択図】図２
2006253022.tif 000002
【特許請求の範囲】
【請求項１】
カードに形成された凹部に係合可能な弾性部材を備え、この弾性部材が上記カードの上記凹部に係合することにより上記カードを装着状態に保持可能であると共に、上記弾性部材は、金属製のカバー部材の一部を折り曲げて形成したことを特徴とするカード用コネクタ装置。
【請求項２】
上記請求項１記載の発明において、
上記弾性部材を片持ち梁状に形成し、上記カードの上記凹部にこのカードの側方から係合するように配置したことを特徴とするカード用コネクタ装置。
【請求項３】
上記請求項２記載の発明において、
上記弾性部材を、左右両側部の対称位置のそれぞれに設け、上記カードの左右両側縁部に形成された上記凹部のそれぞれ該当するものに係合するように配置したことを特徴とするカード用コネクタ装置。
【請求項４】
上記請求項３記載の発明において、
上記弾性部材のカード挿入側部分に、上記カードを案内する案内部を形成したことを特徴とするカード用コネクタ装置。
【請求項５】
上記請求項２〜４のいずれか１項記載の発明において、
端子部材が並設されるハウジングを備え、このハウジングに上記弾性部材の付け根部が圧入される圧入部を設けたことを特徴とするカード用コネクタ装置。
【請求項６】
上記請求項５記載の発明において、
上記圧入部の上側部分に、上記カバー部材を上記ハウジングの上方から取り付け可能にさせる開口を形成したことを特徴とするカード用コネクタ装置。
【発明の詳細な説明】
【技術分野】
【０００１】
本発明は、記憶媒体であるカードの装着が可能なカード用コネクタ装置に関する。
【背景技術】
【０００２】
小型メモリカード用コネクタ装置として、従来、特許文献１に示されるものがある。この従来技術は、カードの両側縁部のそれぞれに形成された凹部に係合する弾性部材、すなわち弾性片を備え、これらの弾性片のそれぞれは、両側部を形成するカードのガイド部に固定されるようになっている。
【特許文献１】特開平７−２８２２０７号公報
【発明の開示】
【発明が解決しようとする課題】
【０００３】
上述した従来技術では、ガイド部とは別体に弾性片が設けられていることから、部品点数が増加し、製作時の取り扱いが煩雑になると共に、制作費が高くなる問題がある。
【０００４】
本発明は、上述した従来技術における実状からなされたもので、その目的は、部品点数を増加させることなくカードを装着状態に保持可能なカード用コネクタ装置を提供することにある。
【課題を解決するための手段】
【０００５】
この目的を達成するために、本発明は、カードに形成された凹部に係合可能な弾性部材を備え、この弾性部材が上記カードの上記凹部に係合することにより上記カードを装着状態に保持可能であると共に、上記弾性部材は、金属製のカバー部材の一部を折り曲げて形成したことを特徴としている。
【０００６】
このように構成した本発明は、カードの凹部と係合する弾性部材はカバー部材の一部であるので、部品点数を増加させることなくカードを装着状態に保持可能である。
【０００７】
また、本発明は、上記発明において、上記弾性部材を片持ち梁状に形成し、上記カードの上記凹部にこのカードの側方から係合するように配置したことを特徴としている。このように構成した本発明は、薄いカードでも凹部を深く形成でき、かつ、この凹部に弾性部材を側方から係合させることによって確実にカードを装着状態に保持できる。
【０００８】
また、本発明は、上記発明において、上記弾性部材を、左右両側部の対称位置のそれぞれに設け、上記カードの左右両側縁部に形成された上記凹部のそれぞれ該当するものに係合するように配置したことを特徴としている。このように構成した本発明は、左右対称位置でカードの凹部に弾性部材が係合するので、カードを傾かないように規制でき、このカードを安定した装着状態に保持できる。
【０００９】
また、本発明は、上記発明において、上記弾性部材のカード挿入側部分に、上記カードを案内する案内部を形成したことを特徴としている。このように構成した本発明は、弾性部材の案内部を介してカードを円滑に挿入させることができる。
【００１０】
また、本発明は、上記発明において、端子部材が並設されるハウジングを備え、このハウジングに上記弾性部材の付け根部が圧入される圧入部を設けたことを特徴としている。このように構成した本発明は、弾性部材の付け根部が圧入部によって押さえられるので、弾性部材の付け根部の変形を抑制でき、この弾性部材の弾性力を強くすることができる。
【００１１】
また、本発明は、上記発明において、上記圧入部の上側部分に、上記カバー部材を上記ハウジングの上方から取り付け可能にさせる開口を形成したことを特徴としている。このように構成した本発明は、圧入部の開口を介してカバー部材をハウジングの上方から容易にこのハウジングに取り付けることができる。
【発明の効果】
【００１２】
本発明は、カードの凹部に係合する弾性部材がカバー部材の一部であることから、部品点数を増加させることなくカードを装着状態に保持可能であり、従来に比べて製作時の取り扱いが容易であると共に、制作費を安くすることができる。
【発明を実施するための最良の形態】
【００１３】
以下，本発明に係るカード用コネクタ装置を実施するための最良の形態を図に基づいて説明する。
【００１４】
［本実施形態に使用されるカード］
図１は本発明に係るカード用コネクタ装置の一実施形態に使用されるカードを示す図で、（ａ）図は平面図、（ｂ）図は右側面図、図２は本実施形態に図１に示すカードが挿入されるときの状態を示す斜視図である。
【００１５】
この図１に示すように、本実施形態に使用されるカード１は、本実施形態への挿入時に前側に位置し、テーパ部１ａを有する前端部１ｂと、本実施形態への挿入時に後側に位置し、平坦面から成る後端部１ｃとを備えている。また、左右両側縁部のそれぞれに段部１ｄ，１ｅを有し、この段部１ｄ，１ｅの後端部１ｃ側には、このカード１の保持用の凹部１ｆ，１ｇが形成されている。図示しないが裏面側には、情報の送受信に活用される複数並設された接触部が備えられている。図２に示すように、カード１の挿入時には、このカード１の前端部１ｂを本実施形態の挿入口１５に対向させるようにしてカード１の挿入が行なわれる。
【００１６】
［本実施形態の基本構成］
図３は本実施形態を示す図で、（ａ）図は平面図、（ｂ）図は右側面図、（ｃ）図は正面図、（ｄ）図は（ａ）図のＡ−Ａ断面図、図４は本実施形態の裏面図、図５は本実施形態にカードが正しく挿入された状態を示す図で、（ａ）図は平面図、（ｂ）図は右側面図、（ｃ）図は（ａ）図のＢ−Ｂ断面図である。
【００１７】
図３に示すように、本実施形態は、カード１の複数の接続部とそれぞれ導通可能な複数の端子部材３が並設される樹脂製のハウジング２を備えると共に、図４に示すように、ハウジング２の裏面に、金属薄板４をハウジング２と一体に設けてある。金属薄板４は、例えばインサート成形によりハウジング２に一体に設けてある。同図４に示すように、金属薄板４は端子部材３を囲むようにハウジング２の周縁部に設けてある。また、金属薄板４は例えば、図示しない回路基板に実装する半田付けを可能にする半田付け部５，６を備えている。さらに、金属薄板４は例えば奥側位置に一対のアース接続部８，９を備えている。
【００１８】
なお、図４で示す切断部７のそれぞれは、インサート成形に際しては接続された一枚の金属板であったものが、インサート成形後に各端子部材２及び金属薄板４を互いに分離するために切断された箇所である。
【００１９】
図３に示すように、本実施形態は、ハウジング２の上部に金属製のカバー部材１０を備えており、このカバー部材１０と金属薄板４とを、金属薄板４のアース接続部８，９で導通接続させてある。
【００２０】
［カード保持機構の構成］
図２及び図３の（ｂ）図に示すように、本実施形態は、カード１の凹部１ｆ，１ｇのそれぞれに係合することによりカード１を装着状態に保持可能な凸部１１ｃを有する一対の弾性部材１１を備え、これらの弾性部材１１は、上述した金属製のカバー部材１０の一部、すなわち両側部を折り曲げて形成してある。これらの弾性部材１１は、片持ち梁状に形成してあり、カード１の左右両側縁部に形成された凹部１ｆ，１ｇのそれぞれに、このカード１の側方から係合するように配置してある。また、これらの弾性部材１１のそれぞれは、左右両側部の対称位置に設けてある。図２に示すように、これらの弾性部材１１のカード挿入側部分には、カード１を案内する案内部１１ａを形成してある。
【００２１】
図２および図３に示すように、ハウジング２の両側部には、弾性部材１１の付け根部１１ｂのそれぞれが圧入される圧入部１２，１３を設けてある。図３の（ｄ）図に示すように、圧入部１２，１３の上側部分には、カバー部材１０をハウジング２の上方から取り付け可能にさせる開口１２ａ，１３ａを形成してある。
【００２２】
［カードの誤挿入防止部材の構成］
図３の（ｂ）、（ｃ）図に示すように、本実施形態は、挿入口１５の近傍に誤挿入されたカード１の奥方への移動を阻止する誤挿入防止部材１６，１７を備えている。図５の（ｃ）図に示すように、これらの誤挿入防止部材１６，１７は、カード１が正しく挿入された際にカード１の左右両側縁部に形成された段部１ｄ，１ｅに対向するように、左右両側部近傍のそれぞれに設けてある。また、これらの誤挿入防止部材１６，１７は、金属製のカバー部材１０の一部を折り曲げて形成してある。さらに、図３の（ｂ）図に示すように、これらの誤挿入防止部材１６，１７は、上述した弾性部材１１のそれぞれよりも挿入口１５側に配置してある。
【００２３】
［カードが正しく挿入された場合］
図２および図５に示すように、本実施形態に係るカード用コネクタ装置に、カード１の前端部１ｂを挿入口１５に対向させてカード１が正しく挿入された場合、カード１の前端部１ｂが弾性部材１１の案内部１１ａに当接し、カード１に与えられる押し込み力によって弾性部材１１のそれぞれが外側に弾性変形し、カード１は案内部１１ａに案内されながら移動する。所定の装着位置に至ったとき、弾性部材１１のそれぞれが自身の弾性力により内側に変形し、この弾性部材１１の凸部１１ｃのそれぞれがカード１の凹部１ｆ，１ｇの該当するものに係合する。これによってカード１は、その接触部のそれぞれが、端子部材３の該当するものに導通する装着状態に保持される。このようにカード１が正しく挿入されたときには、図５の（ｃ）図に示すように、誤挿入防止部材１６，１７はカード１に係合せず、カード１の挿入に何ら支障を与えることがない。
【００２４】
上述のようにして所定の装着位置に装着されたカード１は、自身の接触部のそれぞれ及びハウジング２に設けた端子部材３のそれぞれ該当するものを介して信号の送受信が可能となる。この信号の送受信操作の間、カード１の接触部と端子部材３との導通部分は、アース接続された金属薄板４及びカバー部材１０によってシールドされるので、ノイズの少ない精度の高い送受信が可能となる。
【００２５】
なお、カード１の取り出しに際しては、図５に示す挿入口１５から突出している手前部分を把持して引き抜くことにより、端子部材１１の凸部１１ｃのそれぞれがカード１の凹部１ｆ，１ｇから離脱し、このカード１を取り出すことができる。
【００２６】
［カードが前後を逆にして誤挿入された場合］
図６は本実施形態にカードが前後方向を誤って挿入された状態を示す図で、（ａ）図は平面図、（ｂ）図は左側面図、（ｃ）図は右側面図、（ｄ）図は裏面図である。
【００２７】
この図６に示すように、カード１の前後方向を誤って逆にして挿入してしまったときには、カード１の後端部１ｃが誤挿入防止部材１６，１７に当接し、その移動を阻止される。すなわち、挿入口１５に挿入した瞬間に誤挿入と分かる。
【００２８】
［カードが表裏を逆にして誤挿入された場合］
図７は本実施形態にカードが表裏を誤って挿入された状態を示す図で、（ａ）図は平面図、（ｂ）図は右側面図である。
【００２９】
この図７に示すように、カード１の表裏を誤って逆にして挿入してしまったときも、上述と同様であり、カード１の前端部１ａのテーパ部１ａを除く部分が誤挿入防止部材１６，１７に当接し、その移動を阻止される。このときも、挿入口１５に挿入した瞬間に誤挿入と分かる。
【００３０】
［本実施形態の効果］
上述したように本実施形態は、ハウジング２の裏面に金属薄板４を一体に設けたことにより、この金属薄板４によって剛性、すなわち所望の強度を確保できる。これにより、ハウジング２を薄く形成することができ、挿入されるカード１の薄型化に対応させて装置全体の薄型化を実現できる。
【００３１】
また、金属薄板４をインサート成形によりハウジング２に一体に設けたことから、ハウジング２の裏面に金属薄板４を簡単に設けることができる。
【００３２】
また、アース接続される金属薄板４が端子部材３の周囲に配置されるので、ノイズ対策を強化できる。
【００３３】
また、金属薄板４に形成した半田付け部５を介して図示しない回路基板に半田付けすることにより、回路基板への実装が容易である。
【００３４】
さらに、挿入されたカード１の上下をアース接続される金属薄板４とカバー部材１０で覆うことができ、さらにノイズ対策を強化できる。
【００３５】
また、本実施形態は、カード１の凹部１ｆ，１ｇと係合する凸部１１ｃをそれぞれ有する弾性部材１１は、カバー部材１０の一部を形成するので、部品点数を増加させることなくカード１を装着状態に保持可能であり、製作時の取り扱いが容易であると共に、制作費を安くすることができる。
【００３６】
また、弾性部材１を片持ち梁状に形成し、カード１の凹部１ｆ，１ｇにこのカード１の側方から係合するように配置したことから、カード１が薄いカードであっても凹部１ｆ，１ｇを深く形成でき、かつ、これらの凹部１ｆ，１ｇに弾性部材１１を側方から係合させることによって確実にカード１を装着状態に保持できる。
【００３７】
また、弾性部材１１を、左右両側部の対称位置に設け、左右対称位置でカード１の凹部１ｆ，１ｇのそれぞれに弾性部材１１の凸部１１ｃが係合するので、カード１を傾かないように規制でき、このカード１を安定した装着状態に保持できる。
【００３８】
また、弾性部材１１のカード挿入側部分に、カード１を案内する案内部１１ａを形成してあることから、この案内部１１ａを介してカード１を円滑に挿入させることができる。
【００３９】
また、弾性部材１１の付け根部１１ｂのそれぞれが圧入部１２，１３によって押さえられるので、弾性部材１１の付け根部１１ｂそれぞれの変形を抑制でき、これらの弾性部材１１の弾性力を強くすることができる。
【００４０】
また、圧入部１２，１３の上側部分に、開口１２ａ，１３ａを形成したことから、これらの圧入部１２，１３の開口１２ａ，１３ａを介してカバー部材１をハウジング２の上方から容易にハウジング２に取り付けることができる。
【００４１】
また、本実施形態は、挿入口１５の近傍に誤挿入防止部材１６，１７を備えたことから、カード１が誤挿入されたときには、そのカード１が挿入口１５の近傍に設けられた誤挿入防止部材１６，１７によって移動が阻止され、カード１を挿入口１５に差し込んだ直後に誤挿入であることが分かり、使い勝手を良くすることができる。
【００４２】
また、カード１が正しく挿入されたときには、誤挿入防止部材１６，１７のそれぞれがカード１に係合することなく、カード１が誤挿入されたときには、左右両側部の近傍のそれぞれに設けた一対の誤挿入防止部材１６，１７によって確実にカード１の移動を阻止できる。
【００４３】
また、誤挿入防止部材１６，１７はカバー部材１０の一部を形成するので、部品点数を増加させず、制作費の低減に貢献する。
【００４４】
また、誤挿入防止部材１６，１７を弾性部材１１よりも挿入口１５側に配置したことから、誤挿入されたカード１は誤挿入防止部材１６，１７に当たるものの、誤挿入されたカード１による弾性部材１１の変形を防止できる。
【図面の簡単な説明】
【００４５】
【図１】本発明に係るカード用コネクタ装置の一実施形態に使用されるカードを示す図で、（ａ）図は平面図、（ｂ）図は右側面図である。
【図２】本実施形態に図１に示すカードが挿入されるときの状態を示す斜視図である。
【図３】本実施形態を示す図で、（ａ）図は平面図、（ｂ）図は右側面図、（ｃ）図は正面図、（ｄ）図は（ａ）図のＡ−Ａ断面図である。
【図４】本実施形態の裏面図である
【図５】本実施形態にカードが正しく挿入された状態を示す図で、（ａ）図は平面図、（ｂ）図は右側面図、（ｃ）図は（ａ）図のＢ−Ｂ断面図である。
【図６】本実施形態にカードが前後方向を誤って挿入された状態を示す図で、（ａ）図は平面図、（ｂ）図は左側面図、（ｃ）図は右側面図、（ｄ）図は裏面図である。
【図７】本実施形態にカードが表裏を誤って挿入された状態を示す図で、（ａ）図は平面図、（ｂ）図は右側面図である。
【符号の説明】
【００４６】
１    カード
１ａ  テーパ部
１ｂ  前端部
１ｃ  後端部
１ｄ  段部
１ｅ  段部
１ｆ  凹部
１ｇ  凹部
２    ハウジング
３    端子部材
４    金属薄板
５    半田付け部
６    半田付け部
７    切断部
８    アース接続部
９    アース接続部
１０    カバー部材
１１    弾性部材
１１ａ  案内部
１１ｂ  付け根部
１１ｃ  凸部
１２    圧入部
１２ａ  開口
１３    圧入部
１３ａ  開口
１５    挿入口
１６    誤挿入防止部材
１７    誤挿入防止部材
【図１】
2006253022.tif 000003
【図２】
2006253022.tif 000004
【図３】
2006253022.tif 000005
【図４】
2006253022.tif 000006
【図５】
2006253022.tif 000007
【図６】
2006253022.tif 000008
【図７】
2006253022.tif 000009